(57)【要約】      （修正有）【課題】車椅子に回転可能に取り付けられた足台を操作適合位置に設けた操作部で操作し、足台を直立状から水平状に回転操作し、その水平状をロック保持、解除する車椅子の足台を提供する。【解決手段】介護用等の車椅子の足台操作機構Ａは、車椅子１０の肘当て１６の位置に設けた操作ワイヤＷｏ、ロック保持機構を含む操作部２０と、足台１８の基部に設けた回転軸部１８ｘと、上記操作部２０から車椅子１０の支持フレームの下部前方に取り付けられた足台１８まで支持フレームに沿って取り付けた連結ワイヤＷを備え、連結ワイヤＷの一端は上記操作部２０に、他端は足台１８の回転軸部１８ｘにそれぞれ連結し、足台１８の回転軸部１８ｘには足台１８を上向きに常時引き上げる捻りばねを取り付け、操作ワイヤＷｏの引上げ力で回転軸部１８ｘの軸部を回転させて足台１８を直立状から水平状に下降させ、水平位置にロック保持、又はロック解除する。【選択図】図１
2008188146.tif 000002
【特許請求の範囲】
【請求項１】
車椅子１０の操作適合位置に設けた操作ワイヤＷｏ、ロック保持機構３０を含む操作部２０と、足台１８の基部に設けた回転軸部１８ｘと、上記操作部２０から車椅子１０の支持フレームの下部前方に取り付けられている足台１８まで支持フレームに沿って取り付けた連結ワイヤＷを備え、連結ワイヤＷの一端は上記操作部２０に、他端は足台１８の回転軸部１８ｘにそれぞれ連結し、足台１８の回転軸部１８ｘには足台１８を上向きに常時引き上げる弾性部材を取り付け、操作ワイヤＷｏの引上げ力で回転軸部１８ｘの軸部を回転させて足台１８を直立状から水平状に下降させ、水平位置にロック保持、又はロック解除するように構成した車椅子の足台操作機構。
【請求項２】
前記操作部２０を車椅子１０の肘当て部１６に相当する位置に取り付け、回転軸部１８ｘに設けた弾性部材を捻りばね１８Ｂとし、かつロック保持部２１と係止端２２との間に操作ワイヤＷｏを介在させて構成し、ロック保持部２１内にロック保持機構３０を設け、このロック保持機構３０により足台１８を水平状にロック保持するようにしたことを特徴とする請求項１に記載の車椅子の足台操作機構。
【請求項３】
前記ロック保持機構３０を、支持筒３２内に挿通された案内筒３３に設けた回転溝部３４と、この溝部に対応して案内筒３３と連結ロッド３１間に設けたロック保持部３５により構成したことを特徴とする請求項１又は２に記載の車椅子の足台操作機構。
【発明の詳細な説明】
【技術分野】
【０００１】
この発明は、介助式車椅子など各種形式の車椅子の足台の開閉を操作する足台操作機構に関する。
【背景技術】
【０００２】
身体障害者や老人等が使用する車椅子は、介助式、自走介助式等被介護者が介護を受けなければ動けない場合や、下半身のみが不自由で、手動で自走用車輪を回転させることが出来る場合などの健康状態によって使用される形式がそれぞれ異なり、不使用時には折り畳みが出来るものもある。車椅子の一般的な形状は、椅子フレームの後ろ寄り位置に左右一対の主車輪を取り付け、フレーム前端寄り位置に小さい補助前車輪を方向自在に取り付けたものが使用されている。
【０００３】
介助式車椅子は、上記一般的な構成部材の椅子フレーム、主車輪、補助前車輪の外に、椅子フレームの後方に手押しハンドルや足を乗せる足台、左右一対の肘掛部などが設けられている。このような一般的な車椅子の例として、特許文献1に記載された「車椅子の足台」の発明が公知である。この車椅子では、椅子フレームの前端の左右両端に支軸を前方へ突設し、両支軸にそれぞれ足台を開閉のいずれにも停止保持できるように支承した車椅子において、足台の軸承部に足台を開き立ち上げる足踏み用の小ペダルを突設し、小ペダルの先端に押し方向とは反対に屈折する滑り止め用の掛止部を形成している。
【０００４】
上記特許文献1に記載された車椅子の足台は、左右一対の足台を設けた例であるが、他の例として、足台の形状としては、一枚の板状に設ける場合もある。また、旅行時など移動の利便を考慮して不使用時には折畳み自在とした形式のものとして、特許文献２の「折り畳み式車椅子」が知られている。この車椅子は、左右一対の支持フレームを折り畳み自在なＸ形の連結部材で連結し、左右それぞれの支持フレームにシート、主車輪、キャスタ、足台などを取り付け、折り畳み自在としたものである。水平状の一枚の足台は中央の蝶番を介して折り畳み可能であり、使用時には平板状に開いて使用される。
【０００５】
上記一般的な車椅子の左右一対の主車輪は、所定の位置で安定して停止するために、ブレーキを備えておくのが好ましく、例えば特許文献３によりブレーキ付の車椅子が提供されている。この車椅子に適用される「ブレーキワイヤ取り付け構造」は、車椅子の左右のハンドルに取付台を介してブレーキレバーを取り付け、ワイヤをブレーキレバーからハンドルの立フレームに沿って各車輪のブレーキに至る長さに設け、ワイヤの一端はブレーキレバーに、他端はブレーキに取り付けたものであり、簡単に取り付けが出来、安全性と着脱容易性を両立させ、長期使用後の取替えが簡易で、かつ低価格で利便性の高いブレーキワイヤシステムである。
【０００６】
上記ブレーキワイヤ取り付け構造では、「ブレーキレバーを取付台で回転可能にハンドルに取り付け、ブレーキレバーの取付台側にブレーキワイヤのインナの一端を連結し、インナの動作方向に対向して取付台に備えた固定部にブレーキワイヤのアウタの先端部を固定し、固定したアウタからブレーキレバーの回転でインナを引き出してブレーキ操作を可能に保持する穴を形成すると共に、穴の口縁に凹部を形成し、挿着パイプの先端部に穴への挿入位置を規定する当たり部を形成すると共に、穴の凹部に挿通すると共に回転によって穴の口縁で抜け止めする突起をＬ字の広角側に形成したブレーキワイヤ取り付け構造」を採用している。
【特許文献１】特開平１１−３１８９９２号公報
【特許文献２】特開２００２−３２５８０４号公報
【特許文献３】特開２００３−３３４２１７号公報
【発明の開示】
【発明が解決しようとする課題】
【０００７】
ところで、上述した介助式車椅子を使用する場合、被介護者自身の手足が不自由であることが多く、このため介護者により椅子フレームの後側の手押しハンドルを押してもらって移動するが、その際被介護者を車椅子に乗せた後に被介護者の足を足台に乗せなければならない。そのため、その都度被介護者の足を足台に乗せる必要があり、介護者はその都度足台を水平に開き、その上に足を乗せる作業をする必要があり、その操作のためわざわざ足台に近づいて足台まで手を伸ばさなくてはならない。このため、足台の操作のための作業が煩わしく、その労力の軽減を出来るようにするのが望ましい。
【０００８】
また、足台を介護者の足で引き起こすように操作することは出来るが、被介護者に対して粗末な扱いをしていると感じさせる虞から、実際には介護者が足台まで近づいて直接手で操作する必要があり、このため足台を操作する作業は不衛生であり、直接手で操作することなく開閉できるようにするのが望ましい。さらに、折畳み式の車椅子では支持フレームを折り畳む際に足台が水平のままでは折り畳むことができない。このため、折畳み式の車椅子では足台を必ず手で操作して回転させ、折り畳むようにしている。
【０００９】
しかし、実際の車椅子ではこのような足台の操作のための作業の合理化と、衛生的な操作のことまで配慮して設計された車椅子は提供されていない。また、上記特許文献３のように、ブレーキワイヤをブレーキレバーから車椅子を押すための手押しハンドルの立フレームに沿って各車輪のブレーキに至る長さに設けるようにした例は、一般的な車椅子に取り付けられているが、足台を操作するためにワイヤを立フレーム沿って取り付け、手押しハンドルの位置、又は肘当て部の位置から足台を開閉するようにワイヤシステムを配置、取り付けた例はない。
【００１０】
この発明は、上記の問題に留意して、車椅子に回転可能に取り付けられた足台を肘当て部などの操作適合位置に設けた操作部により操作でき、介護人または被介護人が肘当て部等で操作をするのに適合する位置から足台を直立状から水平状に回転操作し、その水平状をロック保持、解除可能とし、手で足台に直接触れることなく衛生的な操作が出来、かつ簡易な機構、経済的で安価なコストにより製作できる車椅子の足台操作機構を提供することを課題とする。
【課題を解決するための手段】
【００１１】
この発明は、上記の問題に留意して、車椅子の操作適合位置に設けた操作ワイヤ、ロック保持機構を含む操作部と、足台の基部に設けた回転軸部と、上記操作部から車椅子の支持フレームの下部前方に取り付けられている足台まで支持フレームに沿って取り付けた連結ワイヤを備え、連結ワイヤの一端は上記操作部に、他端は足台の回転軸部にそれぞれ連結し、足台の回転軸部には足台を上向きに常時引き上げるように捻りばねを取り付け、操作ワイヤの引上げ力で回転軸部の軸部を回転させて足台を直立状から水平状に下降させ、水平位置にロック保持、又はロック解除するように構成した車椅子の足台操作機構としたのである。
【００１２】
上記の構成としたこの発明の車椅子の足台操作機構は、介護人または被介護人が肘当て部等の操作をするのに適合する位置の操作部からの操作により、足台を直立状から水平状に回転操作し、その水平状の足台をロック保持、ロック解除可能とし、手で足台に直接触れることなく衛生的な操作が出来る。操作部の操作ワイヤを引き付けると、弾性部材の弾性力に逆らって足台を直立状から水平状に回転させるに必要な移動量を操作部で生じさせ、その状態でロック保持機構により足台の水平状態をロック、又はロック解除する。
【００１３】
そして、再度操作部の操作ワイヤを引き付けると、ロック保持機構における足台のロック状態が解除され、足台は回転軸部の弾性部材により直立状態に引き戻され、これにより車椅子を折り畳み可能な通常状態に引き戻すことが出来る。操作部は車椅子の肘当て部等の操作に適する位置に取り付け、かつロック保持部と係止端との間に操作ワイヤを介在させて構成し、ロック保持部内にロック保持機構を設け、このロック保持機構により足台を水平状にロック保持するように構成することができる。
【発明の効果】
【００１４】
この発明の車椅子の足台操作機構は、ロック保持機構を含む操作部と、足台の回転軸部と、足台まで支持フレームに沿って取り付けた連結ワイヤを備え、足台の回転軸部には足台を上向きに常時引き上げる弾性部材を取り付け、操作ワイヤの引上げ力で足台を直立状から水平状に下降させ、水平位置にロック保持、又は解除するように構成したから、介護人または被介護人が肘当て部等の操作をするのに適合する位置の操作部により足台を直立状から水平状に回転操作し、その水平状をロック保持、解除可能とし、手で足台に直接触れることなく衛生的な操作が可能、かつ簡易な機構、経済的で安価なコストにより製作できるという顕著な効果を有する。
【発明を実施するための最良の形態】
【００１５】
以下、この発明の実施形態について、図面を参照して説明する。図1はこの実施形態の
足台操作機構を備えた車椅子の外観斜視図を示す。図示の足台操作機構Ａは、折り畳み可能な介助式車椅子１０（以下単に車椅子という）に備えた例として示したが、車椅子１０はこの形式に限らず、他の各種の車椅子に適用できる。上記車椅子１０は、公知の形式のものであり、簡単に構成を説明する。図示のように、上記車椅子１０は、左右の支持フレーム１１、１１をＸ型の連結部材１２，１２で連結し、支持フレーム１１の後端寄り位置に主車輪１３、１３を備え、前端寄り位置に進行方向を自在に変換できるキャスタ１４を備えている。
【００１６】
支持フレーム１１の間に被介護人が座るためのシート座１５ａ、着座した介護人の背中に対応する位置に背部シート１５ｂが取り付けられ、それぞれ不使用時に折り畳み可能とするためにシートは柔軟な材料のシート又は半分に折り畳み可能な部材が用いられている。支持フレーム１１の前方、下向きに張り出した脚載用の一対のフレーム１７、１７の下部に設けた左右一対の足台１８、１８は回転軸部１８ｘに取り付けられ、後述する足台操作機構Ａを介して開閉自在とされている。一対のフレーム１７、１７間には脚載せ用の脚部帯材１９が取り付けられている。Ｈは手押しハンドル、Ｂはブレーキレバーである
【００１７】
支持フレーム１１に一体に形成されている肘フレーム１１ａの肘当て１６の下部から脚載せ用の一対のフレーム１７、１７に沿って連結ワイヤＷが取り付けられており、この連結ワイヤＷの一端は足台１８の操作をするための操作部２０のロック保持部２１に連結され、フレーム１７、１７に沿って延びる連結ワイヤＷの他端は、一対の支持フレーム１７、１７の下端に取り付けられた足台１８を回転操作する回転軸部１８ｘに連結されており、上記操作ワイヤＷｏを含む操作部２０、連結ワイヤＷ、及び回転軸部１８ｘにより足台操作機構Ａが構成されている。
【００１８】
上記操作部２０は、肘フレーム１１ａの水平部の肘当て１６の下部に固定された係止端２２に操作ワイヤＷｏの一端を係止し、他端をロック保持部２１に連結して形成し、さらにこのロック保持部２１のレバー２１Ｌには上記連結ワイヤＷの一端を接続している。２３ａ、２３ｂはガイド部材である。図２に示すように、ロック保持部２１は、中空ケース２１ａ内にレバー２１Ｌの上端寄り位置で軸部２１ｘを中心に回転自在に設け、レバー２１Ｌの上端に形成した長孔２１ｈに短軸２１ａｘを介してロック保持機構３０に係合し、このロック保持機構３０により直線方向に移動可能に形成されている。
【００１９】
レバー２１Ｌには、中空ケース２１ａの一端に形成した挿通孔２１ｂから挿入した操作ワイヤＷｏの端と、保護層Ｗｔを有する連結ワイヤＷの端とがそれぞれ連結、固定され、操作ワイヤＷｏを操作しない状態では、足台１８が図２の実線で示す上方に向いて保持され、操作ワイヤＷｏを操作すると、図２の一点鎖線で示すように、後述するロック保持機構３０の回転・保持機能により、足台１８を直立状から水平状態に回転させ、その状態でロック保持するように構成されている。なお、ロック保持機構３０は、中空ケース２１ａ内で直線移動できるように図示しない支持部材で支持されている。
【００２０】
図３に示すように、回転軸部１８ｘは、足台１８の基部に固定された外筒１８ａと、支持フレーム１７の下端寄り位置に貫通して固定された保持筒１８ｂに対して、この外筒１８ａを回転自在に保持し、回転する内軸１８ｃと、弾性部材として外筒１８ａの端と支持フレーム１７の端に係止された捻りばね１８Ｂとから成る。外筒１８ａは一端が開放状で、他端を端板で閉じられており、保持筒１８ｂに挿入された状態で端板と内軸１８ｃとは固定ボルト１８ｄにより固定されている。捻りばね１８Ｂは、常に外筒１８ａに対して足台が垂直方向に向かう方向の捻りばね力が作用するように配設されている。
【００２１】
保持筒１８ｂが支持フレーム１７の後側に突出する端は端板で閉じられ、この端板寄り位置で連結ワイヤＷの下端が連結座１８ｅを通り径方向に挿通され、この端板付近まで延びる内軸１８ｃの端部位置に形成した溝１８ｍに沿って先頭の結節端Ｗｅを溝１８ｍの先端に形成された係合孔に挿入して連結ワイヤＷが連結されている。内軸１８ｃは、回転中の抵抗を少なくするため中間の径を一部小径に形成し、軸心位置に（図示せず）空気孔が挿通されている。又、保持筒１８ｂの内径部の適宜位置に、足板１８を垂直状から水平状まで内軸１８ｃの回転を略９０度回転し、その位置でそれぞれ回転を阻止するストッパ１８ｒを設ける。
【００２２】
図４にロック保持機構３０の概略構成を示す。図４の（ａ）図に示すように、ロック保持機構３０は、連結ロッド３１、支持筒３２、案内筒３３、案内筒３３に形成された回転溝部３４、ロック保持部３５、ばね３６等を備えている。支持筒３２は、図示しない支持部材により中空ケース２１ａの適宜位置に固定されており、案内筒３３はこの支持筒３２内に挿通され、他端は端板で閉じられている。そして、この支持筒３２に対してその内面に設けられた一対の凸条片間の溝に挟まれた円環状の凸片３７（案内筒３３の外周面に設けられている）を介して回転可能、かつ連結ロッド３１の軸方向には必要な短い距離だけ移動可能に嵌合されている。
【００２３】
図４の（ｂ）図に示すように、案内筒３３には、その長さ方向適宜位置に回転とロック保持のための回転溝部３４が形成されており、この回転溝部３４は案内筒３３の長さ方向に沿って傾斜状で螺旋状に形成された案内溝３４ａと、軸方向に直線状に設けた直線溝３４ｂとを組み合わせた複数組（図示の例では４組、１組の案内溝３４ａと直線溝３４ｂは９０度の範囲内に設けられる。但し組数により設定角度は変化する）の溝部から成る。案内溝３４ａは、図示の左端寄りの終端位置では、ロック状態を安定して保持するため、ロック溝３４ｃを有する。なお、３３ａは案内筒３３の両端の軸受け部であり、支持筒３２内で案内筒３３を回転自在にかつ軸方向に移動自在に保持している。
【００２４】
そして、この案内溝３４ａには、ロック状態を外す際にさらに少しだけ回転を与えるために延長案内溝３４ｄをロック溝３４ｃに連続するように形成している。ロック保持部３５は、図４の（ｃ）図に示すように、案内筒３３の内面に形成した突起３５ａと、案内筒３３内に嵌入されている連結ロッド３１の外周面に形成された係合爪３５ｂとから成る。上記ロック保持部３５の突起３５ａと係合爪３５ｂとは、ロック溝３４ｃに連結ロッド３１の短軸３１ａが嵌合した位相位置に対応して、突起３５ａと係合爪３５ｂとが係合するように、回転溝部３４と凸片３７との間の軸方向の適宜位置に設けられている。
【００２５】
なお、案内筒３３の左端の端板にはばね３６が当接し、常に案内筒３３をその弾性力で押し戻すように押圧している。この弾性力は、足台１８の回転軸部１８ｘに設けられている捻りばね１８Ｂの弾性力より小さく、図４の（ｃ）図に示すように、突起３５ａと係合爪３５ｂとが係合する際に係合爪３５ｂが突起３５ａを乗り越えた後互いに平行状の位置で係合する位置まで案内筒３３を押し戻す力を付与するために必要なばね力である。したがって、さらにロック状態を外すことができる力を付与しない限り、ロック状態が保持される。
【００２６】
上記ロック保持機構３０の構成によれば、足台１８を垂直状に保持した通常状態では、捻りばね１８Ｂのばね力でロック保持部２１のレバー２１Ｌが案内筒３３から連結ロッド３１を引き出す方向に作用している。また、初期位置では図４において短軸３１ａが案内溝３４ａの右寄り端に位置しているものとする。そして、上記捻りばね１８Ｂのばね力に逆らって操作ワイヤＷｏを引き付けてレバー２１Ｌを回転させると、このレバー２１Ｌによる押込み力で短軸３１ａが押されて初期位置の案内溝３４ａの右寄り端位置から案内筒３３を回転させ始め、案内溝３４ａの左端のロック位置まで回転が行われ、ロック位置で回転が停止してロックされる。
【００２７】
ロックを外すためには、ロック状態からさらにもう一度操作ワイヤＷｏを引き付ける操作をする。このとき、短軸３１ａがロック溝３４ｃを乗り越えて延長案内溝３４ｄまで進み、これに平行して係合爪３５ｂが突起３５ａを乗り越えるまで進み、係合爪３５ｂが突起３５ａを乗り越えた後に操作ワイヤＷｏの引付け力を緩めると、レバー２１Ｌは再び捻りばね１８Ｂのばね力で引き戻されるため、連結ロッド３１を押し込む力は解除され、案内筒３３から引き出される力が作用すると共に、短軸３１ａは延長案内溝３４ｄから直線溝３４ｂを通り初期位置に戻ることとなる。
【００２８】
ただし、係合爪３５ｂが突起３５ａを乗り越えるまで進まない場合、両部材の係合が外れないため、操作ワイヤＷｏの引付け力を緩めるとロック状態に戻り、ロックは解除されない。なお、上記ロック保持機構については上記構成のロック保持機構以外にも、例えば種々のボールペンに使用されている公知のロック状態を所持させ、ロック状態を保持するロック保持機構等を利用することも出来る。
【００２９】
上記構成の実施形態の足台操作機構Ａによれば、肘当て１６の位置で操作部２０の操作ワイヤＷｏを手動で引き上げて操作すれば、足台１８が直立状態から水平状態に開かれる。この場合、図５に示すように、ロック保持部２１では回転軸部１８ｘの捻りばね１８Ｂのばね力に逆らって操作ワイヤＷｏを引き上げることにより、中空ケース２１ａのレバー２１Ｌが回転する。このとき、回転軸部１８ｘの回転は、図３の（ｂ）図に示すように、略９０度回転するが、連結ワイヤＷの先端Ｗｅが移動する距離は、例えば１０ｍｍ前後の僅かな距離であり、その移動量に対応する分だけレバー２１Ｌは回転すればよい。
【００３０】
このレバー２１Ｌの回転によりロック保持機構３０の連結ロッド３１が押し込まれる方向に移動することは、上述した通りである。そして、連結ロッド３１の押込み力によりロック保持機構３０により突起３５ａが係合爪３５ｂに係合することによりロック保持が行われてロック保持状態が得られ、足台１８が水平状に保持される。ロックを外すためには、再度操作ワイヤＷｏを引き上げて、ロック保持機構３０内の係合爪３５ｂが突起３５ａを乗り越えた後、少し操作ワイヤＷｏを緩めると、ロック保持機構３０によるロックが解除される。
【００３１】
このようにして、この実施形態の車椅子１０を使用する際、足台操作機構Ａの操作部２０を介して足台１８を操作すれば、従来被介護者を車椅子に乗せる度に、折り畳まれた車椅子を開き、被介護者を車椅子に乗せた後、足を引き上げながら足台１８を水平状に下ろし、その上に足を乗せるという作業のうち、足台１８を水平状に開く操作を肘当ての位置で出来るため、わざわざ足台の前まで介護者が廻り、足台１８を水平状に開く必要がなくなり、作業の労力を軽減し、足台１８を直接手作業で開くことが不要で、かつ足台１８に手で直接触れる必要がないため衛生的にも好ましい。
【００３２】
又、被介護者の状態によっては、肘当ての位置に操作部２０が位置するため、自分の手の力で直接操作できる被介護者の場合は、介護人は足台１８を直接開く操作を必要としない場合もある。なお、この実施形態では、操作部２０は肘当て１６の位置に設置した例を示したが、例えば手押しハンドルＨの位置に設けても良い。この場合は、主車輪１３、１３にブレーキを掛けるためのブレーキレバーＢが設けられているため、このブレーキレバーＢを２段に形成するか、又は２段に作動するブレーキレバーとしてもよい。
【００３３】
或いは、図示のブレーキ形式のレバーではなく、上記実施形態と同様な形式の操作部２０を手押しハンドルＨに設けるようにしても良い。さらに、上記実施形態では、車椅子１０は折り畳み可能な介護式車椅子を例として説明したが、この発明の趣旨の範囲内で適用できる車椅子であれば、折り畳み可能な介護式車椅子に限定されることなく、各種の車椅子に適用できる。
【産業上の利用可能性】
【００３４】
この発明の車椅子用の足台操作機構は、介護式の車椅子やその他各種の車椅子の肘当て部又は手押しハンドル部等に取り付けて使用され、車椅子に被介護者を乗せる際の介護作業の労力を軽減するものであり、各種の車椅子に広く利用することが出来る。
【図面の簡単な説明】
【００３５】
【図１】実施形態の足台操作機構を備えた車椅子の（ａ）外観斜視図、（ｂ）足台操作機構の上部操作部の概略構成図
【図２】足台操作機構の下部操作部の概略構成図
【図３】足台を含む回転軸部の断面図
【図４】ロック保持部の概略構成図
【図５】操作部による操作の説明図
【符号の説明】
【００３６】
１０        介助式車椅子
１１        支持フレーム
１２        連結部材
１３        主車輪
１４        キャスタ
１５ａ      シート座
１５ｂ      背部シート
１６        肘当て
１７        フレーム
１８        足台
１８ａ      外筒
１８ｂ      保持筒
１８ｃ      内軸
１８Ｂ      捻りばね
１８ｘ      回転軸部
１９        脚部帯材
２０        操作部
２１        ロック保持部
２１ａ      中空ケース
２１ｈ      長孔
２１ａｘ    短軸
２１Ｌ      レバー
２２        係止端
２３ａ、２３ｂ        ガイド部材
３０        ロック保持機構
３１        連結ロッド
３２        支持筒
３３        案内筒
３４        回転溝部
３５        ロック保持部
３６        ばね
Ｗｏ        操作ワイヤ
Ｗ          連結ワイヤ
【図１】
2008188146.tif 000003
【図２】
2008188146.tif 000004
【図３】
2008188146.tif 000005
【図４】
2008188146.tif 000006
【図５】
2008188146.tif 000007